(57)【要約】【課題】何らかの故障が発生した場合に、保守端末を必要とせずに、そのときの故障状態を簡単に把握できるようにする。【解決手段】主制御装置１１に伝送ケーブル１２を介して乗場表示装置１３が接続されている。乗場表示装置１３には、故障発生時に主制御装置１１に対してエラーコードの送信を要求するためのエラーコード送信要求スイッチ２３、予め各種エラーコードとこれらのエラーコードが示す具体的な故障状態や故障箇所を可視化するための表示データとが記憶されたメモリ１７、送信要求に応答して主制御装置１１から送信されるエラーコードを受信した際に、メモリ１７から当該エラーコードに対応した表示データを読み出して所定の場所に表示する伝送制御ＣＰＵ２１を備える。【選択図】      図１
2011026039.tif 000002
【特許請求の範囲】
【請求項１】
故障発生時に主制御装置に対してエラーコードの送信を要求するエラーコード送信要求手段と、
予め各種エラーコードとこれらのエラーコードが示す具体的な故障状態や故障箇所を可視化するための表示データとが記憶された記憶手段と、
上記エラーコード送信要求手段による送信要求に応答して上記主制御装置から送信されるエラーコードを受信した際に、上記記憶手段から当該エラーコードに対応した表示データを読み出して所定の場所に表示する制御手段と
を具備したことを特徴とするエレベータの表示装置。
【請求項２】
保守員を認証する認証手段を備え、
上記制御手段は、上記認証手段によって保守員であることが認証された場合にのみ、上記エラーコードに対応した表示データを所定の場所に表示することを特徴とする請求項１記載のエレベータの表示装置。
【請求項３】
上記認証手段は、予め設定されたパスワードの入力により保守員を認証することを特徴とする請求項２記載のエレベータの表示装置。
【請求項４】
上記制御手段は、上記主制御装置から同じエラーコードを少なくとも２回連続して受信した場合に、上記エラーコードに対応した表示データを所定の場所に表示し、上記エラーコードを連続受信できなかった場合には通信異常を知らせる表示データを所定の場所に表示することを特徴とする請求項１記載のエレベータの表示装置。
【請求項５】
上記記憶手段には、エレベータ機種毎に各種エラーコードとこれらのエラーコードが示す具体的な故障状態や故障箇所を可視化するための表示データとが記憶されており、
上記制御手段は、上記エラーコード送信要求手段による送信要求に応答して上記主制御装置からエラーコードと共に送られている機種コードに基づいて、上記記憶手段から該当するエレベータ機種のエラーコードに対応した表示データを読み出して所定の場所に表示することを特徴とする請求項１記載のエレベータの表示装置。
【請求項６】
上記制御手段は、上記主制御装置から同じ機種コードを少なくとも２回連続して受信した場合に、該当するエレベータ機種のエラーコードに対応した表示データを所定の場所に表示し、上記機種コードを連続受信できなかった場合には通信異常を知らせる表示データを所定の場所に表示することを特徴とする請求項１記載のエレベータの表示装置。
【請求項７】
上記制御手段は、上記エラーコード送信要求手段による送信要求時に予め設定された時間内に上記主制御手段から自アドレスを受信できなかった場合に通信異常を知らせる表示データを所定の場所に表示することを特徴とする請求項１記載のエレベータの表示装置。
【請求項８】
上記記憶手段は、着脱自在な不揮発性メモリから構成されていることを特徴とする請求項１記載のエレベータの表示装置。
【請求項９】
上記所定の場所としては、エレベータの乗場、乗りかご内、監視室のいずれかが含まれることを特徴とする請求項１記載のエレベータの表示装置。
【発明の詳細な説明】
【技術分野】
【０００１】
本発明は、故障発生時にその故障箇所や故障状態を表示するためのエレベータの表示装置に関する。
【背景技術】
【０００２】
通常、エレベータに何らかの故障が生じると、その故障箇所や故障状態を示すエラーコードが主制御装置に故障履歴として記録される。故障の連絡を受けて現場に到着した保守員は、自身が持つ保守端末を主制御装置に接続することにより、上記エラーコードを端末画面上で確認して復旧作業を行うのが一般的である。
【０００３】
その他に、故障状態を表示する方法として、乗場に主制御装置への接続端子を設けておき、保守員が携帯する保守端末をその乗場の接続端子に接続することで、主制御装置からエラーコードを取り出して故障解析を行う方法（例えば、特許文献１参照）や、乗場に設置された表示装置に故障時のエラーコードを表示する方法（例えば、特許文献２参照）などがあるが、いずれもエラーコードを表示する構成である。
【先行技術文献】
【特許文献】
【０００４】
【特許文献１】特開平１１−３３５０１５号公報
【特許文献２】特開２００１−１０６４５０号公報
【発明の概要】
【発明が解決しようとする課題】
【０００５】
しかしながら、上記特許文献1のように保守端末にエラーコードを表示する方法では、故障発生時に保守端末が必要であり、その保守端末を接続する手間もかかって対応に遅れが生じることがある。
【０００６】
また、上記特許文献２のように保守端末以外の場所にエラーコードを表示したとしても、そのエラーコードの意味を正確に把握していないと対処できない問題がある。この場合、保守点検の経験が長いベテランの保守員であれば、表示されたエラーコードからどのような復旧作業を行えばよいのかを即座に判断できるが、経験の浅い不慣れな保守員であると、エラーコードが分からず、取扱説明書を調べるなどして、復旧作業に遅れが生じる問題がある。
【０００７】
本発明は上記のような点に鑑みなされたもので、何らかの故障が発生した場合に、保守端末を必要とせずに、そのときの故障状態を簡単に把握して迅速かつ適切な復旧作業を行うことのできるエレベータの表示装置を提供することを目的とする。
【課題を解決するための手段】
【０００８】
本発明に係るエレベータの表示装置は、故障発生時に主制御装置に対してエラーコードの送信を要求するエラーコード送信要求手段と、予め各種エラーコードとこれらのエラーコードが示す具体的な故障状態や故障箇所を可視化するための表示データとが記憶された記憶手段と、上記エラーコード送信要求手段による送信要求に応答して上記主制御装置から送信されるエラーコードを受信した際に、上記記憶手段から当該エラーコードに対応した表示データを読み出して所定の場所に表示する制御手段とを具備したことを特徴とする。
【発明の効果】
【０００９】
本発明によれば、何らかの故障が発生した場合に、エラーコードによる表示ではなく、エラーコードが示す具体的な故障状態や故障箇所が乗場等の所定の場所に詳しく表示される。したがって、保守端末を必要とせずに、そのときの故障状態を簡単に把握して迅速かつ適切な復旧作業を行うことができる。
【図面の簡単な説明】
【００１０】
【図１】図１は本発明の一実施形態に係るエレベータの表示装置の構成を示す図である。
【図２】図２は同実施形態における表示装置をエレベータの乗場に設置した場合の例を示す図である。
【図３】図３は同実施形態における表示装置に設けられた一般表示用画像データ格納メモリの一例を示す図である。
【図４】図４は同実施形態における表示装置に設けられた故障表示用画像データ格納メモリの一例を示す図である。
【図５】図５は同実施形態における機種コード送信時の通信フォーマットの一例を示す図である。
【図６】図６は同実施形態におけるエラーコード送信時の通信フォーマットの一例を示す図である。
【図７】図７は同実施形態における表示装置の表示例を示す図である。
【図８】図８は同実施形態における表示装置による一般表示処理と故障表示処理の動作を示すフローチャートである。
【図９】図９は同実施形態における表示装置による通信異常表示処理の動作を示すフローチャートである。
【発明を実施するための形態】
【００１１】
以下、図面を参照して本発明の実施形態を説明する。
【００１２】
図１は本発明の一実施形態に係るエレベータの表示装置の構成を示す図である。なお、ここでは、エレベータの故障解析をある階床の乗場で行うことを前提として説明するが、乗りかご内や他の階の乗場、さらに、監視室などでも同様な構成とすることで実現可能である。
【００１３】
主制御装置１１は、例えばビルの機械室などに設置されており、エレベータ全体の運転制御を行っている。この主制御装置１１に伝送ケーブル１２を介して乗場表示装置１３が接続されている。乗場表示装置１３は、図２に示すように、エレベータの乗場３０において、例えばドア３１の近傍に設置されている。なお、図中の３２は乗場呼びを登録するための乗場呼びボタンである。
【００１４】
乗場表示装置１３は、通常の状態では階床表示、方向表示、メッセージ表示などの一般の表示に加え、ここでは故障発生時にした場合に所定の操作により故障箇所や故障状態を表示する場合にも用いられる。
【００１５】
本実施形態において、この乗場表示装置１３は、表示制御部１４と表示部１５と一般表示用画像データ格納メモリ１６と故障表示用画像データ格納メモリ１７とで構成されている。なお、ここで言う「画像データ」とは、記号や図形、絵などの他に、文字も含んでいるものとする。
【００１６】
表示制御部１４は、表示部１５に対する画像データの表示制御を行う。表示部１５は、例えばＬＣＤ（Liquid Crystal Display）などからなり、高画質の画像表示を行う。図２に示すように、この表示部１５は乗場３０にて視認し易い場所に配置されている。
【００１７】
一般表示用画像データ格納メモリ１６は、一般表示用の画像データを格納したメモリである。この一般表示用画像データ格納メモリ１６として、フラッシュＲＯＭなどの不揮発性メモリなどが用いられる。なお、この一般表示用画像データ格納メモリ１６は、表示制御部１４に内蔵された構成でも良いし、メモリカードのように挿抜可能な構成であってもよい。
【００１８】
故障表示用画像データ格納メモリ１７は、一般表示用の画像データを格納したメモリであり、一般表示用画像データ格納メモリ１６と同様にフラッシュＲＯＭなどの不揮発性メモリなどで構成される。この故障表示用画像データ格納メモリ１７は、メモリカードのように挿抜可能な構成とする。これは、エレベータ機種の進歩によって将来追加の故障表示パターンが出てくることが想定されるためである。なお、この故障表示用画像データ格納メモリ１７が表示制御部１４に内蔵された構成であっても本発明を実現する上では特に支障はない。
【００１９】
また、図１の例では、一般表示用画像データ格納メモリ１６と故障表示用画像データ格納メモリ１７を個別に設けているが、１つの不揮発性メモリで構成することでも良い。
【００２０】
表示制御部１４は、伝送制御ＣＰＵ２１と表示用ドライバ２２とエラーコード送信要求スイッチ２３と点検スイッチ２４とパスワード入力部２５とで構成される。
【００２１】
伝送制御ＣＰＵ２１は、主制御装置１１との間の通信を行い、主制御装置１１から表示用のコードデータが送られてきた場合に、一般表示用画像データ格納メモリ１６または故障表示用画像データ格納メモリ１７から該当する表示データを読み出し、表示用ドライバ２２を介して表示部１５に表示する。表示用ドライバ２２は、表示部１５を駆動するためのドライバである。
【００２２】
エラーコード送信要求スイッチ２３は、故障発生時に主制御装置１１に対してエラーコードの送信を要求するためのスイッチである。
【００２３】
点検スイッチ２４は、エレベータの運転モードを点検モードに切り替えるためのスイッチである。伝送制御ＣＰＵ２１では、点検スイッチ２４の状態を検出し、点検モードでない場合つまり通常の運転モードであれば、主制御装置１１からエラーコードを受信したとしても、そのまま階床表示、方向表示、メッセージ表示などの一般的な表示処理を行うことになる。
【００２４】
パスワード入力部２５は、予め登録された保守員以外の者が故障表示を行う行為を防止するためにあり、例えば０〜Ｆの１６進コードを設定できるロータリスイッチを４つ設置するなどして構成される。
【００２５】
このパスワード入力部２５から入力されたパスワードが伝送制御ＣＰＵ２１に予め設定されているパスワードと一致した場合にのみ故障表示が許可される。これにより、パスワードを知っている保守員のみが故障表示を行うことができ、エレベータを利用する一般の人など、第三者が勝手に故障表示を行うことを防いでいる。なお、保守員の他にビル管理者にパスワードを知らせておくことでも良い。
【００２６】
図３は乗場表示装置１３に設けられた一般表示用画像データ格納メモリ１６の構成を示す図である。
【００２７】
一般表示用画像データ格納メモリ１６には、階床表示データ４１と方向表示データ４２と情報表示データ４３が格納されている。
【００２８】
階床表示データ４１は、１階表示データ，２階表示データ，…ｎ階表示データなどの一般階の表示データと、Ｂ１階表示データ，Ｒ階表示データ，ホーム階表示データ，改札階表示データ，駐車場階表示データなどの特殊階表示データで構成される。主制御装置１１から受信する階床コードに対応したアドレスに当該階床の表示データを格納しておくことで、各階床の表示を実現することができる。
【００２９】
方向表示データ４２は、上昇表示データと下降表示データで構成される。上昇表示データとして上矢印マーク、下降表示データとして下矢印マークを表示するためのデータが用いられる。
【００３０】
情報表示データ４３は、メッセージデータ１，メッセージデータ２，…メッセージデータｎで構成される。具体的には、例えば「地震」，「火災」，「停電」などの管制運転用のメッセージデータ、「ドアが閉まります」，「足元に注意してください」などの運転時の注意喚起用のメッセージデータ、「今日はゴミ収集日です」，「おはようございます」などの一般用メッセージデータなどがある。さらに、この情報表示データ４３には、通信異常状態を知らせるためのメッセージデータなども含まれる。
【００３１】
図４は乗場表示装置１３に設けられた故障表示用画像データ格納メモリ１７の構成を示す図である。
【００３２】
故障表示用画像データ格納メモリ１７には、ヘッダ情報５１、機種ａのデータテーブル５２、機種ｂのデータテーブル５３…、機種ｎのデータテーブル５４などが格納されている。ここで、通常、機種毎に固有の故障が存在するため、故障表示用画像データ格納メモリ１７では機種別にデータ管理を行っている。
【００３３】
ヘッダ情報５１には、パスワード識別コードを含む。このパスワード識別コードとパスワード入力部２５から入力されたパスワードのコードとが照合され、一致しない場合には故障表示が禁止される。
【００３４】
機種ａのデータテーブル５２は、エレベータ機種コードａ，エラーコードａ1 ，表示画像データａ1 ，エラーコードａ2 ，表示画像データａ2 ，…エラーコードａn ，表示画像データａn などからなる。
【００３５】
エレベータ機種コードａとエラーコードａ1 〜n は、故障発生時に故障要求に伴い主制御装置１１から送られてくるコードデータであり、エレベータ機種コードａは機種ａの識別コード、エラーコードａ1 〜nは故障箇所や故障状態をコード化したものである。表示画像データａ1 〜nは、エラーコードａ1 〜nに関連付けて記憶されており、具体的な故障箇所や故障状態を可視化表示するためのデータである。
【００３６】
機種ｂのデータテーブル５３、機種ｎのデータテーブル５４についても、機種ａのデータテーブル５２と同様の構成である。
【００３７】
次に、図５及び図６を参照して主制御装置１１から乗場表示装置１３に送信されるデータの通信フォーマットについて説明する。
【００３８】
図５は主制御装置１１の機種コード送信時における通信フォーマットの一例を示す図である。
【００３９】
主制御装置１１が機種コードを送信する場合には、伝送アドレス６１、機種コード送信予告データ６２の送信を２回繰り返した後、伝送アドレス６１、機種コードデータ６３の順で送信する。
【００４０】
伝送アドレス６１は、乗場表示装置１３に予め割り付けられた機器固有のアドレスである。機種コード送信予告データ６２は、これから送信するデータが機種コードであることを予告するためのデータである。機種コードデータ６３は、主制御装置１１のエレベータ機種を示すコードデータである。
【００４１】
図６は主制御装置１１のエラーコード送信時における通信フォーマットの一例を示す図である。
【００４２】
主制御装置１１がエラーコードを送信する場合についても、伝送アドレス６１、エラーコード送信予告データ６４を２回繰り返した後、伝送アドレス６１、エラーコードデータ６５の順で送信する。
【００４３】
エラーコード送信予告データ６４は、これから送信するデータが一般表示で使用するデータと別のデータであることを予告するためのデータである。エラーコードデータ６５は、故障発生時に主制御装置１１に故障履歴として記憶されたコードデータである。
【００４４】
このような構成において、何らかの故障が発生した場合に、エラーコード送信要求スイッチ２３を操作して故障表示を行う。このエラーコード送信要求スイッチ２３の操作によって送信されるエラーコード送信要求信号は、パスワード入力部２５から入力されたパスワードのコードとヘッダ情報５１のパスワード識別コードが合致した場合にのみ有効化される。
【００４５】
主制御装置１１は、エラーコード送信要求信号を受信していない場合に、一般表示データのみを乗場表示装置１３に送信する。一方、エラーコード送信要求信号を受信すると、主制御装置１１は故障発生した機種のコードと共に、その故障箇所や故障状態を示すエラーコードを所定の通信フォーマットに従って乗場表示装置１３に送信する。乗場表示装置１３では、これを受けて故障表示を行う。その際、エラーコードをそのまま表示するのではなく、そのエラーコードが示す具体的な故障箇所や故障状態を画像（文字メッセージを含む）にて分かりやすく表示することを特徴としている。
【００４６】
図７に乗場表示装置１３の表示例を示す。  
ここでは、乗りかごのドア異常が発生した場合の表示例が示されている。異常箇所や故障状態が具体的に表示されることで、保守員は即座にその故障原因を解析して対処することができる。
【００４７】
以下に、同実施形態の動作について詳しく説明する。
【００４８】
図８は乗場表示装置１３の一般表示処理と故障表示処理の動作を示すフローチャートである。
【００４９】
乗場表示装置１３に設けられた伝送制御ＣＰＵ２１は、主制御装置１１から自アドレス（乗場表示装置１３に割り付けられた伝送アドレス）を受信すると（ステップＳ１０１）、次に受信したデータが機種コード送信予告データであるか否かを判断する（ステップＳ１０２）。
【００５０】
機種コード送信予告データ以外のデータを受信した場合には（ステップＳ１０２のＮｏ）、伝送制御ＣＰＵ２１は、一般表示用画像データ格納メモリ１６から受信データに該当する一般表示用データを読み出し（ステップＳ１０３）、その一般表示用データを表示部１５に表示出力する（ステップＳ１１４）。これにより、乗りかごが現在運転中の階床、運転方向、メッセージなどが表示されることになる。
【００５１】
一方、機種コード送信予告データを受信した場合には（ステップＳ２０のＹｅｓ）、伝送制御ＣＰＵ２１は、次に受信したデータが２回目の機種コード送信予告データであるか否かを判断する（ステップＳ１０４）
ここで２回目の機種コード送信予告データを受信できなければ（ステップＳ１０４のＹｅｓ）、上述した通信フォーマット（図５参照）と異なるデータを受信したことになる。このような場合、伝送制御ＣＰＵ２１は、通信異常が発生しているものと判断して、通信異常表示データを一般表示用画像データ格納メモリ１６から読み出し（ステップＳ１０５）、その通信異常表示データを表示部１５に表示出力する（ステップＳ１１４）
なお、本実施形態では、機種コードの予告データを２度読みする場合の例で説明しているが、表示の応答性に支障をきたさなければ、通信品質を向上させるためにさらに複数回、同様の確認を行うことでもよい。また、上記通信異常表示データを故障表示用画像データ格納メモリ１７から読み出すものとしたが、伝送制御ＣＰＵ２１のプログラムに内蔵する固定データであっても良い。
【００５２】
一方、２回目の機種コード送信予告データを受信した場合には（ステップＳ１０４のＹｅｓ）、伝送制御ＣＰＵ２１は、その後に続いて送られてくる機種コードを受信することにより（ステップＳ１０６）、その受信した機種コードが故障表示用画像データ格納メモリ１７に存在するか否かを判断する（ステップＳ１０７）
該当機種コードがない場合には（ステップＳ１０７のＮｏ）、伝送制御ＣＰＵ２１は、例えば「メモリカードに該当する機種コードがありません。メモリカードを交換してください。」などの機種コードなしを警告するための警告表示データを一般表示用画像データ格納メモリ１６から読み出して（ステップＳ１０８）、表示部１５に表示出力する（ステップＳ１１４）。
【００５３】
なお、前記警告表示データは、伝送制御ＣＰＵ２１のプログラムに内蔵する固定データでも、故障表示用画像データ格納メモリ１７に格納されていてもかまわない。
【００５４】
該当する機種コードがある場合には（ステップＳ１０７のＹｅｓ）、伝送制御ＣＰＵ２１は、次に受信したデータがエラーコード送信予告データであるか否かを判断する（ステップＳ１０９）。
【００５５】
ここでエラーコード送信予告データを受信できなければ（ステップＳ１０９のＮｏ）、上述した通信フォーマット（図６参照）と異なるデータを受信したことになるため、伝送制御ＣＰＵ２１は、通信異常が発生しているものと判断して、一般表示用画像データ格納メモリ１６から通信異常表示データを読み出し（ステップＳ１１０）、表示部１５に表示出力する（ステップＳ１１４）
また、エラーコード送信予告データを受信した場合には（ステップＳ１０９のＹｅｓ）、伝送制御ＣＰＵ２１は、次に受信したデータが２回目のエラーコード送信予告データであるか否かを判断する（ステップＳ１１１）。
【００５６】
ここで２回目のエラーコード送信予告データを受信できなければ（ステップＳ１１１のＮｏ）、上記同様に通信フォーマット（図６参照）と異なるデータを受信したことになるため、伝送制御ＣＰＵ２１は、通信異常が発生しているものと判断して、一般表示用画像データ格納メモリ１６から通信異常表示データを読み出し（ステップＳ１１０）、表示部１５に表示出力する（ステップＳ１１４）。
【００５７】
一方、２回目のエラーコード送信予告データを受信した場合には（ステップＳ１１１のＹｅｓ）、次に受信するデータがエラーコードデータとなる（ステップＳ１１２）。伝送制御ＣＰＵ２１は、このエラーコードデータを受信することにより、故障表示用画像データ格納メモリ１７にアクセスして、機種コードデータとエラーコードデータから該当する故障情報の表示データを読み出して（ステップＳ１１３）、表示部１５に表示出力する。（ステップＳ１１４）。これにより、故障が発生した箇所や状態などが詳しく表示されることになる。
【００５８】
なお、上記機種コードと同様にエラーコードの予告データについても２度読みする場合の例で説明しているが、表示の応答性に支障をきたさなければ、通信品質を向上させるためにさらに複数回、同様の確認を行うようにしてもよい。
【００５９】
ところで、例えば主制御装置１１と乗場表示装置１３との間を接続する伝送ケーブル１２が物理的に断線している場合には、主制御装置１１からエラーコードを乗場表示装置１３に送れないので、故障表示を行うことができない。
【００６０】
以下では、このような通信異常状態での表示処理動作について説明する。  
図９は乗場表示装置１３による通信異常表示処理の動作を示すフローチャートである。
【００６１】
エラーコード送信要求スイッチ２３とパスワード入力部２５の操作により、表示制御部１４に設けられた伝送制御ＣＰＵ２１から主制御装置１１に対してエラーコード送信要求信号が送信される（ステップＳ２０１）。
【００６２】
その際、伝送制御ＣＰＵ２１では、自アドレスの受信待ち時間を設定しておく（ステップＳ２０２）。設定時間以内であれば（ステップＳ２０２のＮｏ）、伝送制御ＣＰＵ２１は、主制御装置１１から送られてくるデータを定期的に監視し、自アドレス（乗場表示装置１３に割り付けられた伝送アドレス）を受信したか否かを判断する（ステップＳ２０３）。自アドレスを受信した場合には（ステップＳ２０３のＹｅｓ）、伝送制御ＣＰＵ２１は、図８で説明した画像表示処理手順に従って、主制御装置１１から受信したデータに基づいて一般表示用画像データ格納メモリ１６または故障表示用画像データ格納メモリ１７から該当する表示データを読み出して一般表示用画像データ格納メモリ１６に表示出力する（ステップＳ２０４）。
【００６３】
自アドレスを受信できなければ（ステップＳ２０３のＮｏ）、伝送制御ＣＰＵ２１は、自アドレス受信待ち時間が設定時間を超過したか否かを判断する（ステップＳ２０２）。ここで、自アドレスを受信できないまま、設定時間を超過した場合には（ステップＳ２０２のＹｅｓ）、伝送制御ＣＰＵ２１は、断線等による通信異常が発生しているものと判断して、一般表示用画像データ格納メモリ１６から通信異常表示データを読み出して（ステップＳ２０５）、表示部１５に表示出力する（ステップＳ２０６）
なお、通信異常を表示後、自アドレスの受信待ち状態にしておくものとする（ステップＳ２０３）。これは、通信状態が復旧した場合に故障表示を行うことができ、また、これをきっかけにして、通信状態が復旧したことをリアルタイムで確認することができるからである。
【００６４】
以上のように、予め各種エラーコードに対応させて具体的な故障表示を行うためのデータを用意しておくことで、何らかの故障発生した場合に、エラーコードといった単なる符号表示でなく、例えば「主制御装置のモータ故障です。モータの接続用ケーブルを交換してください。」といったようなメッセージや故障部位を表示することが可能となる。これにより、点検に不慣れな保守員であっても、その表示された内容から迅速かつ適切な復旧作業を簡単に行うことができる。
【００６５】
また、このような故障表示は乗場に設置された表示装置を通じて行われるので、従来のように保守員が保守端末を所持して、制御装置などに接続して情報を取り出す手間を省いて、復旧作業の効率化を図ることができる。
【００６６】
なお、上記実施形態では、ある階床の乗場に設置された表示装置を例にして説明したが、表示装置の設置場所としては、他の階床の乗場はもちろんのこと、乗りかご内や監視室など、保守員が保守点検を行う際に視認しやすい場所であれば良い。
【００６７】
また、エラーコードの送信要求が許可された保守員を認証する方法として、パスワードを例にして説明したが、例えば認証用のカードを読み取る方法や、声紋、指紋などを用いて認証する方法であっても良い。
【００６８】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６９】
１１…主制御装置、１２…伝送ケーブル、１３…乗場表示装置、１４…表示制御部、１５…表示部、１６…一般表示用画像データ格納メモリ、１７…故障表示用画像データ格納メモリ、２１…伝送制御ＣＰＵ、２２…表示用ドライバ、２３…エラーコード送信要求スイッチ、２４…点検スイッチ、２５…パスワード入力部、３０…乗場、３１…ドア、３２…乗場呼びボタン、４１…階床表示データ、４２…方向表示データ、４３…情報表示データ、５１…ヘッダ情報、５２…機種ａのデータテーブル、５３…機種ｂのデータテーブル、５４…機種ｎのデータテーブル、６１…伝送アドレス、６２…機種コード送信予告データ、６３…機種コードデータ、６４…エラーコード送信予告データ、６５…エラーコードデータ。
【図１】
2011026039.tif 000003
【図２】
2011026039.tif 000004
【図３】
2011026039.tif 000005
【図４】
2011026039.tif 000006
【図５】
2011026039.tif 000007
【図６】
2011026039.tif 000008
【図７】
2011026039.tif 000009
【図８】
2011026039.tif 000010
【図９】
2011026039.tif 000011